(57)【要約】【課題】コンセントがない野外などにおいても使用できるプロジェクタ機能を備えた照明装置およびランタンを提供する。【解決手段】バッテリ５１で駆動されるＬＥＤ光源３３および照明用ランプ４１、またはバッテリ５１で駆動されるＬＥＤ光源３３および燃料の燃焼によって発光する照明用ランプ４１と、ＬＥＤ光源３３からの光を利用して投射像を投射するプロジェクタモジュール３０と、照明用ランプ４１の光を照明用として外部へ放射する照明部３０とを備える。【選択図】図２
2008041594.tif 000002
【特許請求の範囲】
【請求項１】
バッテリで駆動される光源と、
前記光源からの光を利用して投射像を投射する投射手段と、
前記光源の光を照明用として外部へ放射する放射手段とを備えることを特徴とする照明装置。
【請求項２】
請求項１に記載の照明装置において、
前記投射用の光源と前記照明用の光源とは異なる光源であることを特徴とする照明装置。
【請求項３】
バッテリで駆動される第１の光源と、
燃料の燃焼の発光による第２の光源と、
前記第１の光源からの光を利用して投射像を投射する投射手段と、
前記第２の光源の光を照明用として外部へ放射する放射手段とを備えることを特徴とする照明装置。
【請求項４】
請求項３に記載の照明装置において、
前記投射像の投射方向と異なる方向に前記燃料を補給するための注入口を設けることを特徴とする照明装置。
【請求項５】
請求項２乃至４のいずれか１項に記載の照明装置において、
前記投射手段を前記照明用の光源の下方に設けることを特徴とする照明装置。
【請求項６】
請求項１乃至５のいずれか１項に記載の照明装置において、
メモリカードスロットおよびＴＶチューナの少なくとも一方を備えることを特徴とする照明装置。
【請求項７】
請求項１または２に記載の照明装置において、
前記投射手段によって投射像を投射すると、前記光源による照明光の光量を低減し、前記投射手段による投射像の投射を停止すると、前記光源による照明光の光量を増加する制御手段を備えることを特徴とする照明装置。
【請求項８】
請求項１乃至５のいずれか１項に記載の照明装置において、
メモリカードスロットおよび外部入力端子と、
前記メモリカードスロットにおけるメモリカードの装着、前記外部入力端子における信号の入力および前記外部入力端子の端子接続のいずれかを検出すると、前記投射手段によって投射像を投射し、前記照明用の光源による照明光の光量を低減する制御手段とをさらに備えることを特徴とする照明装置。
【請求項９】
請求項１乃至８のいずれか１項に記載の照明装置を備えたランタン。
【発明の詳細な説明】
【技術分野】
【０００１】
本発明は、プロジェクタ機能を備えた照明装置およびランタンに関する。
【背景技術】
【０００２】
記録媒体に記録された映像をスクリーン上に投影する機能に加え、懐中電灯として使用できるプロジェクタ装置が従来技術として知られている（たとえば、特許文献１）。
【特許文献１】特開平６−５９２３９号公報
【発明の開示】
【発明が解決しようとする課題】
【０００３】
特許文献１に記載されているような従来のプロジェクタ装置では、持ち運ぶ際の電源などが考慮されていないため、コンセントのない場所で使用することはできなかった。
【課題を解決するための手段】
【０００４】
（１）請求項１の発明の照明装置は、バッテリで駆動される光源と、光源からの光を利用して投射像を投射する投射手段と、光源の光を照明用として外部へ放射する放射手段とを備えることを特徴とする。
（２）請求項２の発明は、請求項１に記載の照明装置において、投射用の光源と照明用の光源とは異なる光源であることを特徴とする。
（３）請求項３の発明の照明装置は、バッテリで駆動される第１の光源と、燃料の燃焼の発光による第２の光源と、第１の光源からの光を利用して投射像を投射する投射手段と、第２の光源の光を照明用として外部へ放射する放射手段とを備えることを特徴とする。
（４）請求項４の発明は、請求項３に記載の照明装置において、投射像の投射方向と異なる方向に燃料を補給するための注入口を設けることを特徴とする。
（５）請求項５の発明は、請求項２乃至４のいずれか１項に記載の照明装置において、投射手段を照明用の光源の下方に設けることを特徴とする。
（６）請求項６の発明は、請求項１乃至５のいずれか１項に記載の照明装置において、メモリカードスロットおよびＴＶチューナの少なくとも一方を備えることを特徴とする。
（７）請求項７の発明は、請求項１または２に記載の照明装置において、投射手段によって投射像を投射すると、光源による照明光の光量を低減し、投射手段による投射像の投射を停止すると、光源による照明光の光量を増加する制御手段を備えることを特徴とする。
（８）請求項８の発明は、請求項１乃至５のいずれか１項に記載の照明装置において、メモリカードスロットおよび外部入力端子と、メモリカードスロットにおけるメモリカードの装着、外部入力端子における信号の入力および外部入力端子の端子接続のいずれかを検出すると、投射手段によって投射像を投射し、照明用の光源による照明光の光量を低減する制御手段とをさらに備えることを特徴とする。
（９）請求項９の発明のランタンは、請求項１乃至８のいずれか１項に記載の照明装置を備えることを特徴とする。
【発明の効果】
【０００５】
本発明によれば、コンセントがない場所においてもプロジェクタ機能を備えた照明装置を使用することができる。
【発明を実施するための最良の形態】
【０００６】
以下、図面を参照して本発明を実施するための最良の形態について説明する。図１は、本発明の一実施の形態によるプロジェクタ付きランタン１の外観図である。プロジェクタ付きランタン１は、内蔵されているバッテリによって蛍光管１１を発光する。図１に示すように、プロジェクタ付きランタン１は通常の乾電池式ランタンと同様に蛍光管１１、ホヤ１２および吊るし具１３を含む。さらにプロジェクタ機能を有するため、後述するプロジェクタモジュール３０の投射口１４、機能切替スイッチ１５、メモリカードスロット口１６、ＴＶチャンネル切替ボタン１７および外部入力端子１８を含む。
【０００７】
図１における投射口１４から、プロジェクタ機能により投射像が投射される。
【０００８】
機能切替スイッチ１５は回転可動のスイッチであり、プロジェクタ付きランタン１の照明機能とプロジェクタ機能とを切り替える。機能切替スイッチ１５には、「ＯＦＦ」、「ＬＩＧＨＴ」、「ＰＪ」、「ＡＵＴＯ」および「ＴＶ」の切替位置が表示される。機能切替スイッチ１５の切替位置を「ＯＦＦ」にすると、プロジェクタ付きランタン１の機能は停止する。切替位置を「ＬＩＧＨＴ」にすると、プロジェクタ付きランタン１の照明機能は動作し、プロジェクタ機能は停止する。切替位置を「ＰＪ」にすると、照明機能は停止し、または蛍光管１１の光量は低減し、プロジェクタ機能は動作する。切替位置を「ＡＵＴＯ」にすると、照明機能とプロジェクタ機能との切替は自動制御される。この自動制御の詳細については後述する。切替位置を「ＴＶ」にすると、照明機能は停止し、プロジェクタ機能は動作する。そして、内蔵されたＴＶチューナが受信した放送の映像を投射口１４より投射する。
【０００９】
メモリカードスロット口１６は画像や映像が記憶されたメモリカードを挿入する挿入口である。チャンネル切替ボタン１７は、内蔵されたＴＶチューナが受信するチャンネルを切り替えるためのボタンである。外部入力端子１８はビデオカメラなどの外部機器に接続されたケーブルをつなぐ端子である。
【００１０】
図２は、図１のプロジェクタ付きランタン１の構成を説明するためのブロック図である。図２において、プロジェクタ付きランタン１は制御回路２０、プロジェクタモジュール３０、照明部４０、電源部５０および入力部６０を含む。
【００１１】
制御回路２０は、制御プログラムに基づいて、プロジェクタ付きランタン１を構成する各部から入力される信号を用いて所定の演算を行うなどして、プロジェクタ付きランタン１の各部に対する制御信号を送出することにより、照明機能、プロジェクタ機能をそれぞれ制御する。また、電源部５０より供給される電力も制御する。なお、制御プログラムは制御回路２０内の不図示の不揮発性メモリに格納されている。
【００１２】
プロジェクタモジュール３０はプロジェクタ機能を有し、投射レンズ３１と、反射型液晶素子３２と、ＬＥＤ光源３３と、レンズ駆動部（回路）３４と、液晶素子駆動部（回路）３５と、ＬＥＤ駆動部（回路）３６とを含む。ＬＥＤ駆動部３６は、制御回路１１から出力されるＬＥＤ駆動信号に応じてＬＥＤ光源３３にバッテリ５１からの電流を供給する。ＬＥＤ光源３３は、供給電流に応じた明るさで反射型液晶素子３２を照明する。
【００１３】
液晶素子駆動部３５は、画像データに応じて液晶素子駆動信号を生成し、生成した駆動信号で反射型液晶素子３２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源３３からの光を変調することにより、反射型液晶素子３２が光像を生成する。
【００１４】
レンズ駆動部３４は、制御回路２０から出力される制御信号に基づいて、投射レンズ３１を投射レンズ３１の光軸方向へ進退駆動する。また、レンズ駆動部３４は、投射レンズ３１のフォーカスレンズを駆動して所定の投影距離範囲に載置された投影面上の画像のフォーカスを調整することができる。投射レンズ３１は、反射型液晶素子３２から射出される光像をスクリーンなどの投影面へ向けて投射する。
【００１５】
照明部４０は照明機能を有し、照明用ランプ４１と照明用ランプ駆動部４２とを含む。照明用ランプ駆動部４１は、制御回路１１から出力される照明用ランプ駆動信号に応じて照明用ランプ３３にバッテリ５１からの電流を供給する。照明用ランプ３３には蛍光管１１のほかにハロゲンランプ、クリプトンランプなどが使用される。
【００１６】
電源部５０はプロジェクタ付きランタン１内の各部に必要な電力を供給し、バッテリ５１と電源回路５２とを含む。電源回路５２は、バッテリ５１から供給される電圧を所定電圧に変換する。バッテリ５１は充電式電池、着脱可能な電池パックや乾電池などによって構成される。
【００１７】
入力部６０は外部からの映像信号などをプロジェクタ付きランタン１に入力する機能を有し、ＴＶチューナ６１、スピーカ６２、外部入出力端子６３、メモリカードスロット６４および操作装置６６を含む。ＴＶチューナ６１は、制御回路２０の指令によりテレビ放送を受信する。スピーカ６２はＴＶチューナ６１が受信した音声情報を出力する。外部入出力端子６３は、制御回路２０の指令により不図示のケーブルを介して外部機器からデータを受信する。メモリカードスロット６４は装填されたメモリカード６５に記憶された画像データなどを読み込む。読み込んだ画像データは制御回路２０で読み込まれ、不図示のメモリに保存される。操作装置６６は、機能切替スイッチ１５やＴＶチャンネル切替ボタン１７などのボタンやスイッチで構成される。操作装置６６を操作することによって、機能を切り替えたり、投影面に順次投射される画像の送り、戻し、一時停止などを行うことができる。
【００１８】
次にプロジェクタモジュール３０の構造について図３を参照して説明する。プロジェクタモジュール３０は、上述した投射レンズ３１、反射型液晶素子３２、ＬＥＤ光源３３などのほかに偏光ビームスプリッタ３７を含む。プロジェクタモジュール３０の動作は以下の通りである。ＬＥＤ光源３３は白色光を放射し、偏光ビームスプリッタ３７のスプリッタ面３７ａで反射され、反射型液晶素子３２に導かれる。反射型液晶素子３２は、赤成分用、緑成分用および青成分用の画素を持っており、一枚の反射型液晶素子３２でカラー画像を生成する。ＬＥＤ光源３３より放射した白色光はそれぞれの色成分の光に変調される。変調した反射光は偏光ビームスプリッタ３７のスプリッタ面３７ａを透過し、投射レンズ３１に導かれる。そして、投射像が投影面に投射される。
【００１９】
次に本発明の一実施の形態によるプロジェクタ付きランタン１の照明／プロジェクタ切替自動制御処理について図４のフローチャートを参照して説明する。図４の処理は、機能切替スイッチ１５の切替位置を「ＡＵＴＯ」にするとスタートするプログラムにより、制御回路２０において実行される。
【００２０】
ステップＳ４０１では、メモリカードスロット６４からのメモリカード装着信号、または装着されたメモリカードメモリ６５から読み出されたデータより、メモリカードスロット６４にメモリカード６５が装着されたか判定する。装着された場合はステップＳ４０１が肯定判定され、ステップＳ４０２へ進む。装着されていない場合はステップＳ４０１が否定判定され、ステップＳ４０４へ進む。ステップＳ４０２では、照明用ランプ４１の光量をゼロまたは所定値に低減する。ステップＳ４０３では、プロジェクタモジュール３０よりメモリカード６５に記憶されている画像などを投射する。
【００２１】
ステップＳ４０４では、外部入力端子６３が他の端子により接続されたか、または外部入力端子６３より信号が入力されたか判定する。ステップＳ４０４が肯定判定されるとステップＳ４０５へ進み、照明用ランプ４１の光量をゼロまたは所定値に低減する。ステップＳ４０４が否定判定されると、ステップＳ４０７へ進み、照明用ランプ４１の光量を増加する。ステップＳ４０６では、プロジェクタモジュール３０より外部入力端子６３から入力された画像や映像などを投射する。ステップＳ４０８では、プロジェクタモジュール３０の電力供給を止め、プロジェクタ機能を停止する。
【００２２】
以上説明した実施形態によれば、次の作用効果が得られる。
（１）バッテリ５１からの電流によってＬＥＤ光源３３および照明用ランプ４１を駆動するので、持ち運びが可能で、コンセントがない野外などにおいてもプロジェクタ機能を備えたランタン１を使用することができる。
【００２３】
（２）プロジェクタモジュール３０における光源（ＬＥＤ光源３３）と照明部４０における光源（照明用ランプ４１）とを異なるものにしたので、投射に適した光源並びに照明に適した光源をそれぞれ使用することができる。
【００２４】
（３）プロジェクタモジュール３０を照明用ランプ４１（１１）の下方に設けたので、プロジェクタモジュール３０に対する照明用ランプ４１（１１）の発熱による影響を小さくすることができる。
【００２５】
（４）プロジェクタ付きランタン１にメモリカードスロット６４およびＴＶチューナ６１の少なくとも一方を備えたので、コンセントのない野外などにおいても多人数でＴＶ番組やメモリカード６５に記憶された画像などを楽しむことができる。
【００２６】
（５）プロジェクタモジュール３０より投射像を投射すると照明用ランプ４１の光量を低減し、プロジェクタモジュール３０による投射を停止すると照明用ランプ４１の光量を増加した。したがって、投射像の鑑賞効果を向上するため、照明用ランプ４１の光量を低減する手間が省け、投射が終了した後、再び照明用ランプ４１の光量を増加したりする手間が省け、使用者の利便性が向上する。
【００２７】
（６）メモリカードスロット６４におけるメモリカード６５の装着、外部入力端子６３（１８）における信号の入力および外部入力端子６３（１８）の端子接続のいずれかを検出すると、プロジェクタモジュール３０によって投射像を投射し、照明用ランプの光量を低減した。したがって、メモリカードスロット６４にメモリカード４５を装着した後、または外部入力端子６３（１８）に外部機器を接続した後、照明ランプ４１を消灯、または光量を低減するなどの手間を省くことができ、使用者の利便性が向上する。
【００２８】
（７）ランタンにプロジェクタ機能を付加した。ランタンは夜間の野外活動に必須なものであるので、ランタンを置き忘れることは少なく、その結果、プロジェクタの携行を忘れたり、電池の充電を忘れたりすることを防止することができる。
【００２９】
以上説明した実施形態を次のように変形することができる。
（１）照明装置であれば、ランタンに限定されない。たとえば、懐中電灯や災害用ライトなど、ランタン以外の持ち運び可能な照明装置にも本発明を適用できる。ランタン以外の照明装置でも、コンセントがない野外などにおいてもプロジェクタ機能を備えた照明装置を使用することができる。
【００３０】
（２）照明用ランプ４１をバッテリ５１からの電力によって点灯したが、燃料の燃焼によって点灯するようにしてもよい。燃料の燃焼によって照明用ランプ４１を点灯するプロジェクタ付きランタン１Ａについて、図５を参照して説明する。なお、本発明の実施形態のプロジェクタ付きランタン１と共通する部分は同一の符号を付し、プロジェクタ付きランタン１と異なる部分を主に説明する。
【００３１】
プロジェクタ付きランタン１Ａは、ガソリンをマントル１９で燃焼させて照明用の光を放射する。プロジェクタ用のＬＥＤ光源３３は実施形態と同様に内蔵したバッテリ５１の電力により点灯させる。図５に示すように、プロジェクタ付きランタン１Ａは通常の燃料式ランタンと同様にマントル１９、火力調整ノブ１１０、燃料注入口１１１および燃料タンク１１２を含む。プロジェクタ付きランタン１Ａにおいても、コンセントがない野外などにおいてもプロジェクタ機能を備えた照明装置を使用することができる。
【００３２】
プロジェクタ付きランタン１Ａの場合もプロジェクタモジュール３０を照明用ランプ４１（１１）の下方に設けている。したがって、照明用ランプ４１（１９）の発熱による影響を小さくすることができる。
【００３３】
また、燃料注入口１１１をプロジェクタモジュール３０によって投射像を投射する方向、つまり投射口１４の設置面とは周方向に異なる位置に設けている。その結果、燃料注入中にこぼれた燃料が投射口１４にかかることはない。
【００３４】
照明用ランプ４１を点灯させる燃料はガソリンに限定されず、ガスや灯油、アルコールなどでもよい。
【００３５】
（３）投射用の光源と照明用の光源を共用してもよい。たとえば、ＬＥＤ光源３３を照明用として外部へ放射するようにしてもよい。この場合、ＬＥＤ光源３３の光を外部へ放射する導光手段を設けるのが好ましい。このようにすることによって、プロジェクタ付きランタン１を小型化することができる。
【００３６】
（４）リモコン機能を備え、リモコンによって照明機能とプロジェクタ機能とを切り替えたり、スピーカ６２の音声調整などができるようにしてもよい。
【００３７】
（５）ＦＭチューナを内蔵して、ＦＭ放送の番組をスピーカ６２から聞こえるようにし、ＦＭ放送の文字情報をプロジェクタモジュール３０から投射できるようにしてもよい。
【００３８】
（６）無線ＬＡＮやＢｌｕｅｔｏｏｔｈなどの無線通信機能を内蔵し、同じ無線通信機能を有するデジタルカメラやビデオカメラ、携帯電話、パーソナルコンピュータなどから画像データを入力できるようにしてもよい。
【００３９】
（７）太陽電池を設け、太陽光からバッテリ５１に電力を充電できるようにしてもよい。
【００４０】
（８）野外で使用しても水などが内部に侵入しないようにするため、プロジェクタ付きランタンン１を防水処理するようにしてもよい。
【００４１】
（９）投射レンズの汚れを防ぐために、投射口１４にレンズバリア（レンズキャップ）を設けるようにしてもよい。
【００４２】
（１０）プロジェクタモジュール３０と照明部４０とを、電源部５０や入力部６０に設けられたコネクタを経由して取り外し可能としてもよい。
【００４３】
（１１）メモリカードスロット６４にメモリカード６５を装着するとメモリカード６５に記憶された画像データのスライドショーが開始されるようにしてもよい。
【００４４】
（１２）メモリカード６５に記憶された画像をプロジェクタモジュール３０によって投射しているときに、機能切替スイッチ１５を「ＬＩＧＨＴ」に切り替えた場合、切り替えたときの画像データを一時的に記憶し、再び投射を開始するときは、切り替えたときに投射していた画像から投射を再開できるようにしてもよい。
【００４５】
以上の説明はあくまで一例であり、発明は、上記の実施形態に何ら限定されるものではない。
【図面の簡単な説明】
【００４６】
【図１】本発明の一実施の形態によるプロジェクタ付きランタンの外観図である。
【図２】本発明の一実施の形態によるプロジェクタ付きランタンの構成を説明するためのブロック図である。
【図３】本発明の一実施の形態によるプロジェクタモジュールの構造を説明するための図である。
【図４】本発明の一実施の形態によるプロジェクタ付きランタンの照明／プロジェクタ切替自動制御処理について説明するためのフローチャートである。
【図５】本発明の他の実施の形態によるプロジェクタ付きランタンの外観図である。
【符号の説明】
【００４７】
１，１Ａ  プロジェクタ付きランタン
１１  蛍光管
１４  投射口
１５  機能切替スイッチ
１８，６３  外部入出力端子
１９  マントル
３０  プロジェクタモジュール
３１  投射レンズ
３２  反射型液晶素子
３３  ＬＥＤ光源
４１  照明用ランプ
５１  バッテリ
６１  ＴＶチューナ
６４  メモリカードスロット
１１１  燃料注入口
【図１】
2008041594.tif 000003
【図２】
2008041594.tif 000004
【図３】
2008041594.tif 000005
【図４】
2008041594.tif 000006
【図５】
2008041594.tif 000007